(57)【要約】【課題】    利用者の利便性を向上することができる移動通信端末装置を提供する。【解決手段】    移動通信端末装置１０において、利用者が複数の操作ボタンを操作して指令を入力する。移動通信端末装置１０内の処理手段は、これらの操作により入力された指令に対応した処理を行い、処理段階に応じて、適宜、複数の操作ボタンそれぞれに機能を割り当てる。そして、処理手段は、割り当てた複数の操作ボタンの機能を表示部１３に表示させる。すなわち、この移動通信端末装置１０では、処理手段が、ボタン操作を含むイベントの発生に応じて変化していく処理状態に応じて、複数のボタンの機能を変化させる。【選択図】  図４
2005236526.tif 000002
【特許請求の範囲】
【請求項１】
操作入力が、複数の操作ボタンの操作のみによって行われる移動通信端末装置において、
前記複数の操作ボタンの利用者による操作により入力された指令に対応した処理を行い、処理段階に応じて前記複数の操作ボタンの機能を割り当て、割り当てた前記複数の操作ボタンの機能を表示部に表示させる処理手段を備える、ことを特徴とする移動通信端末装置。
【請求項２】
前記処理手段は、前記複数の操作ボタンの操作により発信先番号が入力された場合、前記発信先番号のパターンから必要桁数分だけ入力されたと判定した場合には、前記複数の操作ボタンの１つを発信指令ボタンに割り当てる、ことを特徴とする請求項１に記載の移動通信端末装置。
【請求項３】
前記処理手段は、前記複数の操作ボタンの操作により発信先番号が入力された場合、前記発信先番号のパターンから必要桁数分だけ入力されたと判定した後、所定の時間内に何等の指令も入力されなかったときに発信動作を開始させる、ことを特徴とする請求項１又は２に記載の移動通信端末装置。
【請求項４】
前記複数の操作ボタンの数は２つである、ことを特徴とする請求項１〜３のいずれか一項に記載の移動通信端末装置。
【発明の詳細な説明】
【技術分野】
【０００１】
本発明は、移動通信端末装置に係り、より詳しくは、通話機能やメール通信機能を有する移動通信端末装置に関する。
【背景技術】
【０００２】
従来から、携帯電話を代表とする移動通信端末装置が広く普及している。こうした移動通信端末装置は、通話機能、メール通信機能を初めとして様々な機能を有することができるようになってきている。
【０００３】
かかる多様な機能を使いこなすため、移動通信端末装置には、多数の操作ボタンが装備されている。例えば、携帯電話では、テンキー、ファンクションキー等の２０個程度の操作ボタンが装備されている。これらの操作ボタンそれぞれは、ある数字の入力ボタン、カーソル移動ボタン、発信指令ボタン等というように、基本的には予め定められた１つの機能を果たす単機能ボタンとなっている。
【０００４】
そして、単機能ボタンの操作を組み合わせて行うことにより、移動通信端末装置の様々な機能を利用できるようになっている。
【発明の開示】
【発明が解決しようとする課題】
【０００５】
上述したように、従来の移動通信端末装置の利用者は、パーソナルコンピュータ等といった一般の情報機器と同様に、単機能ボタンの操作を組み合わせて行うことが、移動通信端末装置を使いこなすためには必要であった。このため、パーソナルコンピュータ等の一般の情報機器を使い慣れている者は、移動通信端末装置を使用するための操作を習得しやすい。また、順応性が高い若者であれば、少々複雑な操作であっても、移動通信端末装置を使用するための操作を習得することに対して、大きな困難はない。
【０００６】
しかしながら、情報機器一般に対して馴染みがない又は薄い高齢者にとっては、上記のような移動通信端末装置を使用するための操作を習得するには、一般には大きな困難を伴っていた。このため、情報機器一般に対して馴染みがない又は薄い高齢者は移動通信端末装置を敬遠しがちとなり、本来はこうした者にとっても非常に便利なはずの移動通信端末装置の使用による様々な利益を享受できないという結果を招いていた。
【０００７】
本発明は、上記の事情を鑑みてなされたものであり、利用者の利便性を向上することができる移動通信端末装置を提供することを目的とする。
【課題を解決するための手段】
【０００８】
本発明の移動通信端末装置は、操作入力が、複数の操作ボタンの操作のみによって行われる移動通信端末装置において、前記複数の操作ボタンの利用者による操作により入力された指令に対応した処理を行い、処理段階に応じて前記複数の操作ボタンの機能を割り当て、割り当てた前記複数の操作ボタンの機能を表示部に表示させる処理手段を備えることを特徴とする移動通信端末装置である。
【０００９】
この移動通信端末装置では、利用者が複数の操作ボタンを操作して指令を処理手段に入力する。処理手段は、これらの操作により入力された指令に対応した処理を行い、処理段階に応じて、適宜、複数の操作ボタンそれぞれに機能を割り当てる。そして、処理手段は、割り当てた複数の操作ボタンの機能を表示部に表示させる。
【００１０】
すなわち、この移動通信端末装置では、処理手段が、ボタン操作を含むイベントの発生に応じて変化していく処理状態に応じて、複数のボタンの機能を変化させる。このため、複数のボタンは、機能が固定した単機能ボタンではなく、刻々と機能が変化するボタンとなっている。このため、移動通信端末装置の機能を使いこなすための操作ボタンの数を、従来よりも減少させることができる。
【００１１】
また、この移動通信端末装置では、処理手段が、機能変化後に複数のボタンの機能がどうなったのかを表示部に表示して、利用者に通知する。このため、利用者は、表示部に表示された複数のボタンの機能に従って、ボタン操作を行うことにより、移動通信端末装置の機能を使いこなすことができる。
【００１２】
したがって、本発明の移動通信端末装置によれば、利用者の利便性を向上することができる。
【００１３】
本発明の移動通信端末装置では、前記処理手段が、前記複数の操作ボタンの操作により発信先番号が入力された場合、前記発信先番号のパターンから必要桁数分だけ入力されたと判定した場合には、前記複数の操作ボタンの１つを発信指令ボタンに割り当てる構成とすることができる。この場合には、処理手段が、複数の操作ボタンの操作により発信先番号が入力された場合、発信先番号のパターンから必要桁数分だけ入力されたか否かを判定する。そして、発信先番号のパターンに応じて、必要桁数分だけ入力されたと判定したときには、複数の操作ボタンの１つを発信指令ボタンに割り当てる。したがって、利用者は、簡易に発信を行うことができる。
【００１４】
また、本発明の移動通信端末装置では、前記処理手段が、前記複数の操作ボタンの操作により発信先番号が入力された場合、前記発信先番号のパターンから必要桁数分だけ入力されたと判定した後、所定の時間内に何等の指令も入力されなかったときに発信動作を開始させる構成とすることができる。この場合には、処理手段が、複数の操作ボタンの操作により発信先番号が入力された場合、発信先番号のパターンから必要桁数分だけ入力されたか否かを判定する。そして、発信先番号のパターンに応じて、必要桁数分だけ入力されたと判定した後、所定の時間内に何等の指令も入力されなかったときには、発信動作を開始させる。したがって、利用者は、簡易に発信を行うことができる。
【００１５】
また、本発明の移動通信端末装置では、前記複数の操作ボタンの数が２つである構成とすることができる。この場合には、操作ボタンも少なく、かつ、表示画面を大きくできるので、表示部に表示される操作ボタンの機能表示も見やすくすることができるので、移動通信端末装置の機能を使いこなすことを、非常に容易化することができる。
【発明の効果】
【００１６】
以上説明したように、本発明の移動通信端末装置によれば、利用者の利便性を向上することができるという効果を奏する。
【発明を実施するための最良の形態】
【００１７】
以下、本発明の一実施形態を、図１〜図１４を参照しつつ説明する。
【００１８】
図１には、本発明の一実施形態に係る移動通信端末装置である携帯電話１０の構成が概略的に示されている。図１に示されるように、携帯電話１０は、（ａ）後述する制御部２１等（図２参照）を備える携帯電話本体１１と、（ｂ）電話番号や動作モードの切替等の各種指令を制御部２１へ入力するための操作ボタン１２Ａ，１２Ｂという２つを有する操作部１２と、（ｃ）制御部２１による指令に応じて、操作ボタン１２Ａ，１２Ｂの機能、動作状況、受信メッセージ等を表示する液晶表示装置を有する表示部１３とを備えている。また、携帯電話１０は、（ｄ）通話時に通信相手から送られてきた音声信号を再生する通話用スピーカ１４と、（ｅ）通話時に音声を入力するためのマイクロフォン１５と、（ｆ）制御部２１による指令に応じて、着信音や案内音を発生するための案内用スピーカ１６と、（ｇ）送受信部２２と接続され、基地局との間で無線信号を授受するためのアンテナ１７と、を備えている。
【００１９】
ここで、携帯電話本体１１は、図２に示されるように、その内部に、（ｉ）携帯電話１０の全体の動作を統括制御する制御部２１と、（ii）リードオンリメモリ（ＲＯＭ）やランダムアクセスメモリ（ＲＡＭ）等に構成された記憶部２３と、（iii）基地局４２との間で通信を行うための送受信部２２とを備えている。なお、本実施形態では、制御部２１は、中央処理装置（ＣＰＵ）やデジタル信号処理装置（ＤＳＰ）等を有し、プログラムを実行する処理装置となっている。
【００２０】
制御部２１は、各種プログラムを実行し、利用者の操作ボタン１２Ａ，１２Ｂの操作による各種指令の入力や着信等のイベントが発生に対応した処理を行うことにより、通話機能や、メールによるメッセージ通信機能のような一般的な携帯電話機能を実現するために、様々なデータ処理を行うとともに、上述した他の構成要素の動作制御を行うようになっている。こうした制御処理において、制御部２１は、処理段階に応じて、操作ボタン１２Ａ，１２Ｂそれぞれに機能を割り当てる。そして、制御部２１は、操作ボタン１２Ａ，１２Ｂそれぞれに割り当てられた機能を表示部１３に表示させる。
【００２１】
また、表示部１３は、図３に示されるように、携帯電話１０の電界強度や電池残量等をアイコンにより表すアイコン表示領域３１と、携帯電話１０の利用者が通話やメール等を使用する際に、出力される情報の表示や情報の入力を支援するための表示を行うメイン表示領域３２と、メイン表示領域３２の表示画面が何であるかにより、操作ボタン１２Ａ及び１２Ｂの機能を、それぞれボタンＡ機能表示領域３３Ａ及びボタンＢ機能表示領域３３Ｂに表示するボタン機能表示領域３３とを備えている。
【００２２】
次に、上記のように構成された携帯電話１０による通話を行うための着信時の操作、発信時の操作、並びにメールによる通信を行うための着信時の操作及び発信時の操作について説明する。なお、携帯電話１０において、電源のＯＮ／ＯＦＦは、操作ボタン１２Ａを一定時間以上押す、いわゆる「長押し」をすることにより行われる。
【００２３】
図４（Ａ）に示されるように、携帯電話１０が電源ＯＮ後の状態又はこれと同等の状態である待ち受け状態の場合には、制御部２１は、表示部１３のメイン表示領域３２に日付と時間を表示し、ボタン機能表示領域３３におけるボタンＡ機能表示領域３３Ａには「通話」と表示し、ボタンＢ機能表示領域３３Ｂには、「メニュー」と表示する。
【００２４】
当該待ち受け状態中に、通話着信があった場合には、着信信号はアンテナ１７及び送受信部２２を介して、制御部２１に通知される。着信信号を通知された制御部２１は、図４（Ｂ）に示されるように、表示部１３のメイン表示領域３２に、着信がある旨を表示し、ボタンＡ機能表示領域３３Ａに「通話開始」、ボタンＢ機能表示領域３３Ｂに「留守録」と表示し、各操作ボタンに当該表示の機能を割り当てる。
【００２５】
ここで、利用者により、「通話開始」機能である操作ボタン１２Ａが押下されると、操作部１２から操作ボタン１２Ａ押下の通知を受けた制御部２１は、送受信部２２及びアンテナ１７を介し、着信応答信号を返す。さらに、制御部２１は、携帯電話１０を、アンテナ１７及び送受信部２２から受信した音声信号をデコードした後通話用スピーカ１４で再生するとともに、マイクロフォン１５により取得した音声をエンコードした後、送受信部２２及びアンテナ１７を介して送信する通話状態とする。通話状態の時には、メイン表示領域３２には、図４（Ｃ）の通話中である旨が表示される。また、ボタンＡ機能表示領域３３Ａには「通話終了」、ボタンＢ機能表示領域３３Ｂには「Ｏｐｔｉｏｎ」と表示され、各操作ボタンに当該表示の機能が割り当てられる。
【００２６】
その後、利用者により、「通話終了」機能である操作ボタン１２Ａを押下されると、操作部１２から操作ボタン１２Ａ押下の通知を受けた制御部２１は、通話状態を終了させ、図４（Ａ）の待ち受け状態に戻る。なお、ここで「Ｏｐｔｉｏｎ」機能である操作ボタン１２Ｂを押下した場合には、「通話終了」機能以外の機能、例えば、プッシュ音を出力するための数字入力機能、通話中の録音機能及び通話呼の転送機能等が選択できる画面への遷移となる。
【００２７】
次に、図５に示されるように、携帯電話１０の利用者が、「０９０」で始まる電話番号を用いて通話発信を行う場合について説明する。まず、図５（Ａ）の待ち受け状態から、利用者が、「通話」機能である操作ボタン１２Ａを押下する。操作部１２から操作ボタン１２Ａ押下の通知を受けた制御部２１は、図５（Ｂ）に示されるように、メイン表示領域３２に、「電話帳入力」、「直接入力」及び「戻る」のいずれかを選択させる電話番号入力画面を表示する。また、ボタンＡ機能表示領域３３Ａに「次へ」、ボタンＢ機能表示領域３３Ｂに「確定」と表示し、各操作ボタンに当該表示機能を割り当てる。
【００２８】
ここで、利用者が「次へ」機能である操作ボタン１２Ａを押下すると、操作部１２から操作ボタン１２Ａ押下の通知を受けた制御部２１は、図５（Ｃ）に示すように、メイン表示領域３２のカーソルを「電話帳入力」から「直接入力」に移動させる。引き続き、「確定」機能である操作ボタン１２Ｂを押下すると、操作部１２から操作ボタン１２Ｂ押下の通知を受けた制御部２１は、図６（Ａ）に示すように、メイン表示領域３２に数字キーが表示された数字入力画面を表示させる。
【００２９】
なお、図６（Ａ）〜（Ｆ）の画面遷移は利用者による操作部１２の操作に応じ、制御部２１の制御の下で行われるが、利用者による操作と画面遷移に着目して説明する。
【００３０】
携帯電話１０の利用者は、数字入力画面の初期画面である図６（Ａ）において、電話番号の最初の数字である「０」を入力するために、「次へ」機能である操作ボタン１２Ａを９回押下すると、カーソルは「１」から「０」に移動する（図６（Ｂ）参照）。次いで「確定」機能である操作ボタン１２Ｂを押下すると、「０」の入力が確定し、図６（Ｃ）に示されるように、メイン表示領域３２に表示されている数字キーの下側に「０」が表示される。
【００３１】
引き続き、電話番号の２番目の数字である「９」を入力するために、操作ボタン１２Ａを１４回押下すると、カーソルは「０」から「９」に移動し、次いで、操作ボタン１２Ｂを押下すると、「９」が、メイン表示領域３２の数字キーの下側に表示される。その後、図６（Ａ）〜（Ｃ）と同様の操作を繰り返し電話番号の入力を行う。制御部２１は、電話番号が入力されるべき桁数に達したと判定したときには、ボタンＡ機能表示領域３３Ａに「戻る」、ボタンＢ機能表示領域３３Ｂに「発信」と表示し（図６（Ｆ）参照）、各操作ボタンに当該機能を割り当てる。
【００３２】
ここで、入力されるべき桁数とは、図７に示されるような流れ図によって、判定される桁数であり、判定は制御部２１によって行われる。まず、制御部２１は、１桁目に入力された電話番号が「２」〜「９」である場合には、接続先があり得ない電話番号であると認識し、入力を許可しない。１桁目に入力された電話番号が「１」である場合には緊急呼番号であると認識し、３桁目の入力後にボタンＢ機能表示領域３３Ｂに「発信」と表示する。１桁目の入力に「＊」又は「＃」が入力された場合には、通信事業者による音声情報提供サービスへの番号であると認識し、５桁目の入力後にボタンＢ機能表示領域３３Ｂに「発信」と表示する。
【００３３】
次に、１桁目の入力が「０」である場合には、２桁目に入力された数字により判定する。２桁目の入力が「０」である場合には、中継網を利用した発信であると認識し、図８に示されるように、桁数にかかわらず発信するために、数字キーの一部を「発信」キーに変更する。
【００３４】
図７に戻り、さらに２桁目の入力が「１」〜「９」である場合には、３桁目の入力により判定する。３桁目の入力が「０」である場合には、発信先は携帯端末又はＩＰ電話等であると認識し、１１桁目の入力後にボタンＢ機能表示領域３３Ｂに「発信」と表示する。３桁目の入力が「１」〜「９」である場合には、１０桁目の入力後にボタンＢ機能表示領域３３Ｂに「発信」と表示する。
【００３５】
図５に戻り、「発信」機能である操作ボタン１２Ｂを押下すると、操作部１２から操作ボタン１２Ｂ押下の通知を受けた制御部２１は、通知を受けた電話番号への発信処理を、送受信部２２及びアンテナ１７を介しておこなう。この場合において、「発信」機能である操作ボタン１２Ｂを押下しなかった場合においても、入力されるべき桁数の電話番号が入力されていると認識している制御部２１は、一定時間経過後に、入力された電話番号の発信処理をおこなう。
【００３６】
また、制御部２１は、図５（Ｄ）に示すように、メイン表示領域３２に発信中である旨の表示と発信中の電話番号を表示し、図４（Ｃ）と同様、ボタンＡ機能表示領域３３Ａに「通話終了」、ボタンＢ機能表示領域３３Ｂに「Ｏｐｔｉｏｎ」と表示し、各操作ボタンに当該機能を割り当てる。
【００３７】
発信に相手が応答した場合には、制御部２１は、前述の通話状態にするための処理を行い、その後、通話状態となったあとの動作は前述した通話着信時の動作と同様である。
【００３８】
次に、図９に示されるように、携帯電話１０の利用者が、メールを受信した場合について説明する。まず、待ち受け状態である図９（Ａ）において、制御部２１は、アンテナ１７及び送受信部２２を介して、メールを受信すると記憶部２３にその内容を保存すると共に、メイン表示領域３２に受信メールがある旨を表示する（図９（Ｂ）参照）。
【００３９】
ここで、携帯電話１０の利用者は、当該受信メールを参照するために「メニュー」機能である操作ボタン１２Ｂを押下する。操作部１２から操作ボタン１２Ｂ押下の通知を受けた制御部２１は、図９（Ｃ）に示すように、メイン表示領域３２に、「メールＢＯＸ」、「メール作成」といった、携帯電話１０のメール機能に関する選択メニューと、「画面設定」、「通信設定」といった、携帯電話１０固有に設定を行う選択メニュー、及び図９（Ｂ）の前画面に遷移する「戻る」のいずれかを選択させるメニュー画面を表示する。また、ボタンＡ機能表示領域３３Ａに「次へ」、ボタンＢ機能表示領域３３Ｂに「確定」と表示し、各操作ボタンに当該表示機能を割り当てる。
【００４０】
携帯電話１０の利用者は、カーソルが「メールＢＯＸ」であることを確認し、「確定」機能である操作ボタン１２Ｂを押下する。操作部１２から入力操作ボタン１２Ｂ押下の通知を受けた制御部２１は、図９（Ｄ）に示すように、メイン表示領域３２に、「受信ＢＯＸ」、「送信ＢＯＸ」及び「戻る」のいずれかを選択させるメールＢＯＸ画面を表示する。
【００４１】
携帯電話１０の利用者は、カーソルが「受信ＢＯＸ」であることを確認し、「確定」機能である操作ボタン１２Ｂを押下する。操作部１２から入力操作ボタン１２Ｂ押下の通知を受けた制御部２１は、記憶部２３から受信ＢＯＸの情報読み出し、図９（Ｅ）に示すように、表示部１３のメイン表示領域３２に、受信メールの受信日時及び表題をリスト表示する。
【００４２】
ここで、図９（Ｅ）においては、メイン表示部３２に、受信メールリストと共に、図９（Ｄ）の画面に戻るための「メールＢＯＸへ戻る」メニューを配置しており、図９（Ｄ）の画面に戻ることも可能となっている。
【００４３】
携帯電話１０の利用者は、受信メールのリストの中で、カーソルが表示したいメールにあることを確認し、「確定」機能である操作ボタン１２Ｂを押下する。操作部１２から入力操作ボタン１２Ｂ押下の通知を受けた制御部２１は、記憶部２３から、図９（Ｅ）で選択されたメールの内容を読出し、図９（Ｆ）に示すように、メイン表示領域３２に表示する。また、制御部２１は、ボタンＡ機能表示領域３３Ａに「戻る」、ボタンＢ機能表示領域３３Ｂに「Ｏｐｔｉｏｎ」と表示し、各操作ボタンに当該表示機能を割り当てる。
【００４４】
ここで、「戻る」機能である操作ボタン１２Ａを押下すると、別の受信メールを表示するために前画面、すなわち図１７（Ｅ）の画面に戻ることができる。また、「Ｏｐｔｉｏｎ」機能である操作ボタン１２Ｂを押下すると、表示したメールの「返信」、「転送」、送信元アドレスの「電話帳保存」及び待ち受け状態に戻るためのメール機能の「終了」機能等が選択できる画面への遷移となる。
【００４５】
次に、図１０に示されるように、携帯電話１０の利用者が、メールを受信した場合について説明する。ここで、図１０（Ａ）のメニュー画面は、前述した図９（Ｃ）に示されるメニュー画面と同じ画面であり、図９と同様に、図９（Ａ）及び図９（Ｂ）から遷移することにより図１０（Ａ）の画面が表示される。
【００４６】
図１０（Ａ）において、携帯電話１０の利用者が、「次へ」機能である操作ボタン１２Ａを押下すると、操作部１２から操作ボタン１２Ａ押下の通知を受けた制御部２１は、図１０（Ｂ）に示すように、メイン表示領域３２のカーソルを「メールＢＯＸ」から「メール作成」に移動させる。次いで、「確定」機能である操作ボタン１２Ｂを押下すると、操作部１２から操作ボタン１２Ｂ押下の通知を受けた制御部２１は、図１０（Ｃ）に示すように、メイン表示領域３２に、「メール本文入力」、「アドレス入力」、「送信」及び「戻る」のいずれかを選択させるメール作成画面を表示させる。
【００４７】
携帯電話１０の利用者は、カーソルが「メール本文入力」であることを確認し、「確定」機能である操作ボタン１２Ｂを押下する。操作部１２から入力操作ボタン１２Ｂ押下の通知を受けた制御部２１は、図１１（Ａ）に示すように、メイン表示領域３２に日本語キーが表示された日本語入力画面を表示する。
【００４８】
なお、図１１及び図１２の画面遷移は利用者による操作部１２の操作に応じ、制御部２１の制御の下で行われるが、利用者による操作と画面遷移に着目して説明する。また、日本語入力方法を説明するために文字列「東京」の入力を例に説明する。
【００４９】
携帯電話１０の利用者は、日本語入力画面の初期画面である図１１（Ａ）において、「とうきょう」の最初の文字である「と」を入力するために、「次へ」機能である操作ボタン１２Ａを３回押下すると、カーソルは「あ」から「た」に移動する（図１１（Ｂ）参照）。さらに「確定」機能である操作ボタン１２Ｂを押下すると、図１１（Ｃ）に示されるように、「た行」の入力画面となる。
【００５０】
次いで、「次へ」機能である操作ボタン１２Ａを４回押下することにより、図１１（Ｄ）に示されるように、カーソルを「た」から「と」に移動させる。ここで、「確定」機能である操作ボタン１２Ｂを押下すると、「と」の入力が確定し、図１１（Ｅ）に示されるように、メイン表示領域３２の日本語キーの下側に「と」が表示される。
【００５１】
図１１（Ａ）〜図１１（Ｅ）と同様の操作を繰り返すことにより、「とうきょう」のすべての文字の入力を完了する（図１１（Ｆ）参照）。入力が完了した場合には、操作ボタン１２Ａを１３回押下することにより、図１２（Ａ）に示すように、カーソルを「あ」から「変」に移動する。ここで、日本語キーの一つである「変」は「かな漢字変換」機能を表している。
【００５２】
利用者はカーソルが「変」であること確認し、「確定」機能である操作ボタン１２Ｂを押下すると、図１２（Ｂ）に示すように、メイン表示領域３２に、「→」、「←」及び「変換」のいずれかを選択させる選択範囲指定画面を表示する。ここで、「→」、「←」機能は、文字列の選択範囲カーソルの移動向きを表し、「かな漢字変換」を行う範囲を選択するために使用される。
【００５３】
「とうきょう」の文字すべてを変換範囲とするために、利用者は、「→」にカーソルがあることを確認し、「確定」機能である操作ボタン１２Ｂを４回押下し、「とうきょう」を選択する（図１２（Ｃ）参照）。次いで、「次へ」機能である操作ボタン１２Ａを２回押下し、図１２（Ｄ）に示すように「変換」にカーソルを合わせ、「確定」ボタンである操作ボタン１２Ｂを押下する。
【００５４】
その結果、図１２（Ｅ）に示すように、メイン表示領域３２に、変換候補である「東京」、「とうきょう」及び「トウキョウ」のいずれかを選択させる変換候補画面を表示する。利用者は、カーソルが「東京」であることを確認し、「確定」機能である操作ボタン１２Ｂを押下する。確定された文字列「東京」は、図１２（Ｆ）に示すように、表示部１３のメイン表示領域３２に表示されている日本語キーの下側に「東京」が表示される。
【００５５】
図１１及び図１２に示した手順を繰り返すことにより、メール本文に入力すべき文字列を入力する。入力すべき文字列を入力が完了した場合には、利用者は、操作ボタン１２Ａを１４回押下し、図１０（Ｄ）に示すように、カーソルを「あ」からＯｐｔｉｏｎを表す「Ｏｐ」に移動させる。次いで、「確定」機能である操作ボタン１２Ｂを押下する。
【００５６】
操作部１２から操作ボタン１２Ｂ押下の通知を受けた制御部２１は、図１０（Ｅ）に示すように、メイン表示領域３２に、「保存して戻る」、「保存せずに戻る」、「英字」、「数字」及び「記号」のいずれかを選択させるＯｐｔｉｏｎ画面を表示する。ここで、入力したメールの内容を送信するためにはメール本文を保存しておく必要があるため、「保存して戻る」にカーソルがあることを確認して、操作ボタン１２Ｂを押下する。
【００５７】
なお、Ｏｐｔｉｏｎ画面において、「英字」、「数字」及び「記号」にカーソルを合わせて、「確定」機能である操作ボタン１２Ｂを押下した場合には、制御部２１は、メール本文に、それぞれ英字、数字及び記号を入力するための画面を表示する。
【００５８】
操作部１２から操作ボタン１２Ｂ押下の通知を受けた制御部２１は、図１０（Ｆ）に示すように、メイン表示領域３２に、前述したメール作成画面を表示する。表示する際において、メール本文が既に保存されていることから、制御部２１は、カーソルを「アドレス入力」にあわせてメール作成画面を表示する。
【００５９】
当該メール作成画面において、携帯電話１０の利用者は、「確定」機能である操作ボタン１２Ｂを押下すると、操作部１２から操作ボタン１２Ｂ押下の通知を受けた制御部２１は、図１３（Ａ）に示すように、メイン表示領域３２に、「電話帳入力」、「直接入力」及び「戻る」のいずれかを選択させるアドレス入力画面を表示する。
【００６０】
ここで、利用者が「次へ」機能である操作ボタン１２Ａを押下すると、操作部１２から操作ボタン１２Ａ押下の通知を受けた制御部２１は、図１３（Ｂ）に示すように、メイン表示領域３２のカーソルを「電話帳入力」から「直接入力」に移動させる。そして、「確定」機能である操作ボタン１２Ｂを押下すると、操作部１２から操作ボタン１２Ｂ押下の通知を受けた制御部２１は、図１４（Ａ）に示すように、メイン表示領域３２に英字キーが表示された英字入力画面を表示させる。
【００６１】
なお、アドレス入力画面において、「電話帳入力」にカーソルを合わせて、「確定」機能である操作ボタン１２Ｂを押下した場合には、制御部２１は、既に記憶部２３に記録されている電話帳から、メール送信先のアドレスを選択して入力するための画面を表示する。
【００６２】
なお、図１４の画面遷移は利用者による操作部１２の操作に応じ、制御部２１の制御の下で行われるが、利用者による操作と画面遷移に着目して説明する。また、英字入力方法を説明するためにメールアドレスである英文字列「ｖｖｖｖ＠ａａａａ．ｃｏｍ」の入力を例に説明する。
【００６３】
携帯電話１０の利用者は、英字入力画面の初期画面である図１４（Ａ）において、「ｖｖｖｖ＠ａａａａ．ｃｏｍ」の最初の文字である「ｖ」を入力するために、「次へ」機能である操作ボタン１２Ａを６回押下すると、カーソルは「Ａ」から「Ｔ」に移動する（図１４（Ｂ）参照）。さらに「確定」機能である操作ボタン１２Ｂを押下すると、図１４（Ｃ）に示されるように、英字の小文字「ｔ」〜「ｖ」及び大文字「Ｔ」〜「Ｖ」の入力画面となる。
【００６４】
次いで、「次へ」機能である操作ボタン１２Ａを２回押下することにより、図１４（Ｄ）に示されるように、カーソルを「ｔ」から「ｖ」に移動させる。ここで、「確定」機能である操作ボタン１２Ｂを押下すると、「ｖ」の入力が確定し、図１１（Ｅ）に示されるように、メイン表示領域３２の英字キーの下側に「ｖ」が表示される。
【００６５】
図１４（Ａ）〜（Ｅ）に示した手順を繰り返すことにより、メールアドレスに入力すべき文字列を入力する。入力すべき文字列を入力し終えた場合には、操作ボタン１２Ａを１４回押下し、図１３（Ｃ）に示すように、カーソルを「Ａ」からＯｐｔｉｏｎを表す「Ｏｐ」に移動する。次いで、「確定」機能である操作ボタン１２Ｂを押下する。
【００６６】
操作部１２から操作ボタン１２Ｂ押下の通知を受けた制御部２１は、図１３（Ｄ）に示すように、メイン表示領域３２に、「保存して戻る」、「保存せずに戻る」、「英字」、「数字」、「記号」及び「電話帳に保存」のいずれかを選択させるＯｐｔｉｏｎ画面を表示する。ここで、メールを入力したメールアドレスへ送信するためにはメールアドレスを保存しておく必要があるため、「保存して戻る」にカーソルがあることを確認して、操作ボタン１２Ｂを押下する。
【００６７】
なお、Ｏｐｔｉｏｎ画面において、「電話帳に保存」にカーソルを合わせて、「確定」機能である操作ボタン１２Ｂを押下した場合には、制御部２１は、入力したメールアドレスを電話帳に保存するための画面が表示する。
【００６８】
操作部１２から操作ボタン１２Ｂ押下の通知を受けた制御部２１は、図１３（Ｅ）に示すように、メイン表示領域３２に、前述したメール作成画面を表示する。表示する際において、メール本文及びメールアドレスが既に保存されていることから、制御部２１は、カーソルを「送信」にあわせてメール作成画面を表示する。
【００６９】
携帯電話１０の利用者は、「送信」にカーソルがあることを確認して、「確定」機能である操作ボタン１２Ｂを押下する。操作部１２から操作ボタン１２Ｂ押下の通知を受けた制御部２１は、保存されたメール本文を、保存されたメールアドレスへ、送受信部２２及びアンテナ１７を介して、送信する。また、図１３（Ｆ）に示すように、制御部２１は、メイン表示領域３２にメール送信中である旨を表示し、待ち受け画面と同様に、ボタンＡ機能表示領域３３Ａに「通話」、ボタンＢ機能表示領域３３Ｂに「メニュー」と表示し、各操作ボタンに当該表示の機能を割り当てる。
【００７０】
なお、メール送信が完了すると、完了通知をメイン表示領域３２にいったん表示した後、図４（Ａ）の待ち受け状態に遷移し、携帯電話１０は待ち受け状態となる。
【００７１】
以上説明したように、本実施形態では、２つの操作ボタン１２Ａ及び１２Ｂを備える携帯電話１０が、待ち受け状態において、制御部２１は、操作ボタン１２Ａ、１２Ｂをそれぞれ「通話」、「メニュー」機能に割り当てる。そこで通話着信があった場合には、制御部２１は、操作ボタン１２Ａ、１２Ｂをそれぞれ「通話開始」、「留守録」機能に割り当てる。続いて、「通話開始」機能である操作ボタン１２Ａを押下した場合には、制御部２１は、操作ボタン１２Ａ、１２Ｂをそれぞれ「通話終了」、「Ｏｐｔｉｏｎ」に割り当てる。最後に「通話終了」機能である操作ボタン１２Ａを押下した場合には、制御部２１は、操作ボタン１２Ａ、１２Ｂをそれぞれ、待ち受け状態と同じである「通話」、「メニュー」機能に割り当てる。
【００７２】
また、通話発信を行う場合には、「通話」機能である操作ボタン１２Ａを押下すると制御部２１は、操作ボタン１２Ａ、１２Ｂを、それぞれ「次へ」、「確定」機能に割り当てる。次いで、電話番号を入力し終えた場合には、制御部２１は操作ボタン１２Ａ、１２Ｂをそれぞれ「次へ」、「発信」に割り当てる。その後、通話発信をした場合には、制御部２１は、操作ボタン１２Ａ、１２Ｂを、それぞれ「通話終了」、「Ｏｐｔｉｏｎ」に割り当てる。
【００７３】
また、受信メールを表示する場合には、「メニュー」機能である操作ボタン１２Ｂを押下すると制御部２１は、操作ボタン１２Ａ、１２Ｂをそれぞれ「次へ」、「確定」機能に割り当てる。最後にメールが表示されると、制御部２１は、操作ボタン１２Ａ、１２Ｂをそれぞれ「戻る」、「Ｏｐｔｉｏｎ」機能に割り当てる。
【００７４】
また、メールを送信する場合には、「メニュー」機能である操作ボタン１２Ｂを押下すると制御部２１は、操作ボタン１２Ａ、１２Ｂをそれぞれ「次へ」、「確定」機能に割り当てる。メールを送信した場合には、制御部２１は、操作ボタン１２Ａ、１２Ｂをそれぞれ、待ち受け状態と同じである「通話」、「メニュー」機能に割り当てる。
【００７５】
したがって、本実施形態によれば、携帯電話１０の利用者の利便性を向上することができる。
【００７６】
なお、本実施形態においては、メールアドレスは英文字で表されていたが、いわゆるショートメール場合など電話番号を入力する場合には、電話番号入力操作である図６の操作を使用してもよい。
【００７７】
また、本実施形態においては、各操作ボタンに割り当てられた機能を表示部に表示するのみとしたが、音声により各操作ボタンの機能を知らせる機能を加えることとしてもよい。
【００７８】
また、本実施形態においては、操作ボタンを２つとしたが、３つ以上ある場合や複数のボタン機能を備える十字キー等の場合に適用できるのは勿論である。
【００７９】
また、本実施形態においては、携帯電話を移動通信端末装置として本発明を適用したが、携帯電話以外の移動通信端末装置に本発明を適用することができるのは勿論である。
【産業上の利用可能性】
【００８０】
以上説明したように本発明の移動通信端末装置は、複数の操作ボタンを有する移動通信端末装置に適用することができる。
【図面の簡単な説明】
【００８１】
【図１】一実施形態に係る携帯電話の外観構成を概略的に示す図である。
【図２】図１の携帯電話の内部構成を概略的に示す図である。
【図３】図１の携帯電話の表示部１３の画面構成を概略的に示す図である。
【図４】通話着信があった場合の表示部１３の画面遷移を表す図である。
【図５】通話発信をする場合の表示部１３の画面遷移を表す図である。
【図６】電話番号入力操作を説明するための図である。
【図７】電話番号入力桁数を判定するための流れ図である。
【図８】電話番号が中継網経由用であると認識されたとき、表示部１３の画面表示を表す図である。
【図９】メール受信があった場合の表示部１３の画面遷移を表す図である。
【図１０】メール作成の操作を説明するための図である（その１）。
【図１１】文字入力操作を説明するための図である。
【図１２】文字入力操作のうち漢字変換操作を説明するための図である。
【図１３】メール作成の操作を説明するための図である（その２）。
【図１４】メールアドレス入力操作を説明するための図である。
【符号の説明】
【００８２】
１０…携帯電話（移動体端末装置）、１１…携帯電話本体、１２…操作部、１２Ａ…操作ボタン、１２Ｂ…操作ボタン、１３…表示部、１４…通話用スピーカ、１５…マイクロフォン、１６…案内用スピーカ、１７…アンテナ、２１…制御部（処理手段）、２２…送受信部、２３…記憶部、３１…アイコン表示領域、３２…メイン表示領域、３３…ボタン機能表示領域、３３Ａ…ボタンＡ機能表示領域、３３Ｂ…ボタンＢ機能表示領域。
【図１】
2005236526.tif 000003
【図２】
2005236526.tif 000004
【図３】
2005236526.tif 000005
【図４】
2005236526.tif 000006
【図５】
2005236526.tif 000007
【図６】
2005236526.tif 000008
【図７】
2005236526.tif 000009
【図８】
2005236526.tif 000010
【図９】
2005236526.tif 000011
【図１０】
2005236526.tif 000012
【図１１】
2005236526.tif 000013
【図１２】
2005236526.tif 000014
【図１３】
2005236526.tif 000015
【図１４】
2005236526.tif 000016